【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
印刷装置と通信可能なサーバ装置であって、
印刷指示に応じて印刷ジョブを生成するジョブ生成手段と、
前記ジョブ生成手段で生成された印刷ジョブのうち関連付けるべき複数の印刷ジョブを共通の識別情報により管理して、保持する保持手段と、
印刷装置から識別情報を含む要求を受信する第１受信手段と、
前記第１受信手段により受信した要求に含まれる識別情報が前記共通の識別情報であった場合に、前記共通の識別情報に関連付けられている前記複数の印刷ジョブを前記保持手段から読み出し、読み出された前記複数の印刷ジョブを前記印刷装置へ出力する出力手段とを備えることを特徴とするサーバ装置。
【請求項２】
前記印刷装置から、該印刷装置が印刷の実行が可能な正常状態か、印刷の実行ができない異常状態かを示す通知を受信する第２受信手段と、
前記第２受信手段により受信した前記通知が異常状態を示す場合、前記共通の識別情報により関連付けられている前記複数の印刷ジョブをキャンセルするジョブ制御手段とを更に有することを特徴とする請求項１に記載のサーバ装置。
【請求項３】
前記印刷装置から、該印刷装置が印刷の実行が可能な正常状態か、印刷の実行ができない異常状態かを示す通知を受信する第２受信手段と、
前記印刷装置とは異なる別の印刷装置から前記共通の識別情報を含む要求を受信した場合であって、前記通知が正常状態を示す場合は、前記印刷装置と前記別の印刷装置による分散印刷を実行し、前記通知が異常状態を示す場合は前記別の印刷装置による代行印刷を実行するジョブ制御手段とを更に備えることを特徴とする請求項１に記載のサーバ装置。
【請求項４】
前記印刷装置から、該印刷装置が印刷の実行が可能な正常状態か、印刷の実行ができない異常状態かを示す通知を受信する第２受信手段と、
前記共通の識別情報に関連付けられた印刷ジョブの印刷を実行中に、前記印刷装置から前記共通の識別情報を含む要求を再度受信した場合であって、前記通知が正常状態を示す場合に前記共通の識別情報に関連付けられた印刷ジョブの実行を一時停止するジョブ制御手段とを更に備えることを特徴とする請求項１に記載のサーバ装置。
【請求項５】
前記印刷装置において前記識別情報を入力できる状態であるか否かを示す通知を受信する第２受信手段と、
前記第２受信手段で受信した前記通知が前記識別情報を入力できない状態であることを示す場合に、前記共通の識別情報に関連した印刷ジョブの実行を停止、またはキャンセルするジョブ制御手段とを更に備えることを特徴とする請求項１に記載のサーバ装置。
【請求項６】
実行中の印刷ジョブの進行状況の通知を受信する第３受信手段と、
前記第３受信手段で受信された進行状況の通知に基づくジョブ状況情報を前記実行中の印刷ジョブに対応付けて前記保持手段に保持させる保持制御手段とを更に備えることを特徴とする請求項１乃至５のいずれか１項に記載のサーバ装置。
【請求項７】
前記出力手段は、前記第１受信手段により受信した要求に含まれる識別情報に基づき読み込まれる印刷ジョブに対応して前記ジョブ状況情報が保持されている場合、そのジョブ状況情報に基づいて印刷ジョブを再出力することを特徴とする請求項６に記載のサーバ装置。
【請求項８】
前記出力手段により印刷ジョブを出力している間、前記印刷装置に対して、予め定められた時間間隔で印刷ジョブの出力中であることを報知する報知手段を更に備えることを特徴とする請求項１乃至７のいずれか１項に記載のサーバ装置。
【請求項９】
前記第１受信手段で受信した要求に含まれる出力先情報を前記１又は複数の印刷ジョブの出力先に設定する出力先設定手段を更に備えることを特徴とする請求項１乃至８のいずれか１項に記載のサーバ装置。
【請求項１０】
情報処理装置と印刷装置が通信可能な印刷システムであって、
前記情報処理装置は、
印刷ジョブを生成するジョブ生成手段と、
前記ジョブ生成手段で生成された印刷ジョブのうち関連付けるべき複数の印刷ジョブを共通の識別情報に基づいて管理して、保持する保持手段とを備え、
前記印刷装置は、
前記情報処理装置へ識別情報を含む要求を発行する発行手段を備え、
前記情報処理装置は、
前記印刷装置から前記要求を受信する第１受信手段と、
前記第１受信手段により受信した前記要求に含まれる識別情報が前記共通の識別情報であった場合に、前記共通の識別情報に関連付けられている前記複数の印刷ジョブを前記保持手段から読み出し、読み出された前記複数の印刷ジョブを前記印刷装置へ出力する出力手段とを備えることを特徴とする印刷システム。
【請求項１１】
印刷装置と通信可能なサーバ装置によるジョブ制御方法であって、
ジョブ生成手段が、印刷指示に応じて印刷ジョブを生成するジョブ生成工程と、
保持手段が、前記ジョブ生成工程で生成された印刷ジョブのうち関連付けるべき複数の印刷ジョブを共通の識別情報により管理して、保持部に保持する保持工程と、
第１受信手段が、印刷装置から識別情報を含む要求を受信する第１受信工程と、
出力手段が、前記第１受信工程で受信した要求に含まれる識別情報が前記共通の識別情報であった場合に、前記共通の識別情報に関連付けられている前記複数の印刷ジョブを前記保持手段から読み出し、該読み出された前記複数の印刷ジョブを前記印刷装置へ出力する出力工程とを有することを特徴とするジョブ制御方法。
【請求項１２】
第２受信手段が、前記印刷装置から、該印刷装置が印刷の実行が可能な正常状態か、印刷の実行ができない異常状態かを示す通知を受信する第２受信工程と、
ジョブ制御手段が、前記第２受信工程で受信した前記通知が異常状態を示す場合、前記共通の識別情報により関連付けられている前記複数の印刷ジョブをキャンセルするジョブ制御工程とを更に有することを特徴とする請求項１１に記載のジョブ制御方法。
【請求項１３】
第２受信手段が、前記印刷装置から、該印刷装置が印刷の実行が可能な正常状態か、印刷の実行ができない異常状態かを示す通知を受信する第２受信工程と、
前記印刷装置とは異なる別の印刷装置から前記共通の識別情報を含む要求を受信した場合であって、前記通知が正常状態を示す場合は、ジョブ制御手段が、前記印刷装置と前記別の印刷装置による分散印刷を実行し、前記通知が異常状態を示す場合は前記ジョブ制御手段が前記別の印刷装置による代行印刷を実行するジョブ制御工程とを更に有することを特徴とする請求項１１に記載のジョブ制御方法。
【請求項１４】
第２受信手段が、前記印刷装置から、該印刷装置が印刷の実行が可能な正常状態か、印刷の実行ができない異常状態かを示す通知を受信する第２受信工程と、
前記共通の識別情報に関連付けられた印刷ジョブの印刷を実行中に、前記印刷装置から前記共通の識別情報を含む要求を再度受信した場合であって、前記通知が正常状態を示す場合に、ジョブ制御手段が、前記共通の識別情報に関連付けられた印刷ジョブの実行を一時停止するジョブ制御工程とを更に有することを特徴とする請求項１１に記載のジョブ制御方法。
【請求項１５】
第２受信手段が、前記印刷装置において前記識別情報を入力できる状態であるか否かを示す通知を受信する第２受信工程と、
前記第２受信工程で受信した前記通知が前記識別情報を入力できない状態であることを示す場合に、ジョブ制御手段が、前記共通の識別情報に関連した印刷ジョブの実行を停止、またはキャンセルするジョブ制御工程とを更に有することを特徴とする請求項１１に記載のジョブ制御方法。
【請求項１６】
第３受信手段が、実行中の印刷ジョブの進行状況の通知を受信する第３受信工程と、
保持制御手段が、前記第３受信工程で受信された進行状況の通知に基づくジョブ状況情報を前記実行中の印刷ジョブに対応付けて前記保持部に保持させる保持制御工程とを更に備えることを特徴とする請求項１１乃至１５のいずれか１項に記載のジョブ制御方法。
【請求項１７】
前記出力工程では、前記第１受信工程により受信した要求に含まれる識別情報に基づき読み込まれる印刷ジョブに対応して前記ジョブ状況情報が保持されている場合、そのジョブ状況情報に基づいて印刷ジョブを再出力することを特徴とする請求項１６に記載のジョブ制御方法。
【請求項１８】
報知手段が、前記出力工程により印刷ジョブを出力している間、前記印刷装置に対して、予め定められた時間間隔で印刷ジョブの出力中であることを報知する報知工程を更に備えることを特徴とする請求項１１乃至１７のいずれか１項に記載のジョブ制御方法。
【請求項１９】
出力先設定手段が、前記第１受信工程で受信した要求に含まれる出力先情報を前記１又は複数の印刷ジョブの出力先に設定する出力先設定工程を更に備えることを特徴とする請求項１１乃至１８のいずれか１項に記載のジョブ制御方法。
【請求項２０】
情報処理装置と印刷装置が通信可能な印刷システムによるジョブ制御方法であって、
前記情報処理装置において、印刷ジョブを生成するジョブ生成工程と、
前記情報処理装置において、前記ジョブ生成工程で生成された印刷ジョブのうち関連付けるべき複数の印刷ジョブを共通の識別情報に基づいて管理して、保持部に保持する保持工程と、
前記印刷装置において、前記情報処理装置へ識別情報を含む要求を発行する発行工程と、
前記情報処理装置において、前記印刷装置から前記要求を受信する第１受信工程と、
前記情報処理装置において、前記第１受信工程で受信した要求に含まれる識別情報が前記共通の識別情報であった場合に、前記共通の識別情報に関連付けられている前記複数の印刷ジョブを前記保持部から読み出し、読み出された前記複数の印刷ジョブを前記情報処理装置から前記印刷装置へ出力する出力工程とを有することを特徴とするジョブ制御方法。
【請求項２１】
請求項１１乃至２０のいずれか１項に記載されたジョブ制御方法をコンピュータに実行させるためのコンピュータプログラム。
【請求項２２】
請求項１１乃至２０のいずれか１項に記載されたジョブ制御方法をコンピュータに実行させるためのコンピュータプログラムを格納したことを特徴とする記憶媒体。
【手続補正２】
【補正対象書類名】明細書
【補正対象項目名】０００５
【補正方法】変更
【補正の内容】
【０００５】
上記の目的を達成するための本発明の一態様によるサーバシステムは以下の構成を備える。即ち、
印刷装置と通信可能なサーバ装置であって、
印刷指示に応じて印刷ジョブを生成するジョブ生成手段と、
前記ジョブ生成手段で生成された印刷ジョブのうち関連付けるべき複数の印刷ジョブを共通の識別情報により管理して、保持する保持手段と、
印刷装置から識別情報を含む要求を受信する第１受信手段と、
前記第１受信手段により受信した要求に含まれる識別情報が前記共通の識別情報であった場合に、前記共通の識別情報に関連付けられている前記複数の印刷ジョブを前記保持手段から読み出し、読み出された前記複数の印刷ジョブを前記印刷装置へ出力する出力手段とを備える。
【手続補正３】
【補正対象書類名】明細書
【補正対象項目名】０００６
【補正方法】変更
【補正の内容】
【０００６】
また、上記の目的を達成するための本発明の他の態様による印刷システムは以下の構成を備える。即ち、
情報処理装置と印刷装置が通信可能な印刷システムであって、
前記情報処理装置は、
印刷ジョブを生成するジョブ生成手段と、
前記ジョブ生成手段で生成された印刷ジョブのうち関連付けるべき複数の印刷ジョブを共通の識別情報に基づいて管理して、保持する保持手段とを備え、
前記印刷装置は、
前記情報処理装置へ識別情報を含む要求を発行する発行手段を備え、
前記情報処理装置は、
前記印刷装置から前記要求を受信する第１受信手段と、
前記第１受信手段により受信した前記要求に含まれる識別情報が前記共通の識別情報であった場合に、前記共通の識別情報に関連付けられている前記複数の印刷ジョブを前記保持手段から読み出し、読み出された前記複数の印刷ジョブを前記印刷装置へ出力する出力手段とを備える。
【手続補正４】
【補正対象書類名】明細書
【補正対象項目名】０００７
【補正方法】変更
【補正の内容】
【０００７】
更に、上記の目的を達成するための本発明の他の態様によるジョブ制御方法は、
印刷装置と通信可能なサーバ装置によるジョブ制御方法であって、
ジョブ生成手段が、印刷指示に応じて印刷ジョブを生成するジョブ生成工程と、
保持手段が、前記ジョブ生成工程で生成された印刷ジョブのうち関連付けるべき複数の印刷ジョブを共通の識別情報により管理して、保持部に保持する保持工程と、
第１受信手段が、印刷装置から識別情報を含む要求を受信する第１受信工程と、
出力手段が、前記第１受信工程で受信した要求に含まれる識別情報が前記共通の識別情報であった場合に、前記共通の識別情報に関連付けられている前記複数の印刷ジョブを前記保持手段から読み出し、該読み出された前記複数の印刷ジョブを前記印刷装置へ出力する出力工程とを有する。
【手続補正５】
【補正対象書類名】明細書
【補正対象項目名】０００８
【補正方法】変更
【補正の内容】
【０００８】
また、上記の目的を達成するための本発明の他の態様によるジョブ制御方法は、
情報処理装置と印刷装置が通信可能な印刷システムによるジョブ制御方法であって、
前記情報処理装置において、印刷ジョブを生成するジョブ生成工程と、
前記情報処理装置において、前記ジョブ生成工程で生成された印刷ジョブのうち関連付けるべき複数の印刷ジョブを共通の識別情報に基づいて管理して、保持部に保持する保持工程と、
前記印刷装置において、前記情報処理装置へ識別情報を含む要求を発行する発行工程と、
前記情報処理装置において、前記印刷装置から前記要求を受信する第１受信工程と、
前記情報処理装置において、前記第１受信工程で受信した要求に含まれる識別情報が前記共通の識別情報であった場合に、前記共通の識別情報に関連付けられている前記複数の印刷ジョブを前記保持部から読み出し、読み出された前記複数の印刷ジョブを前記情報処理装置から前記印刷装置へ出力する出力工程とを有する。
【手続補正６】
【補正対象書類名】明細書
【補正対象項目名】発明の名称
【補正方法】変更
【補正の内容】
【発明の名称】印刷システム、サーバ装置及びジョブ制御方法
【手続補正７】
【補正対象書類名】明細書
【補正対象項目名】０００１
【補正方法】変更
【補正の内容】
【０００１】
本発明は、印刷システム、サーバ装置及びジョブ制御方法に関し、特に、印刷装置側からの要求に従って印刷ジョブの出力を行う仕組みに関する。